(57)【要約】【課題】２つの板状部材を長手方向に対して斜めにカットされた端面同士が互いに向かい合った状態で固定する際、容易かつ確実に位置決め固定できる部材の位置決め具を提供すること【解決手段】部材の位置決め具１０は、板状部材および取付部材の間に挿入される基板部１３と、この基板部１３から立ち上がり形成され、テーパ形状をなすように配置された第１起立片１１１，１１２と第２起立片１２１，１２２とを備えていることにより、これらの第１起立片１１１，１１２と、第２起立片１２１，１２２との間に板状部材を差し入れることで、板状部材がずれることなく、当該板状部材を容易かつ確実に位置決め固定でき、外観意匠性にも優れる。【選択図】図４
2005320776.tif 000002
【特許請求の範囲】
【請求項１】
少なくとも一端側が長手方向に対して斜めにカットされた傾斜端面を有する２つの板状部材を、前記傾斜端面同士が互いに向かい合った状態で取付部材に固定する部材の位置決め具であって、
前記板状部材および前記取付部材の間に挿入される基板部と、
この基板部から立ち上がり形成され前記２つの板状部材の傾斜端面間に挿入される第１起立片と、
前記基板部から立ち上がり形成され前記各板状部材の傾斜端面と鋭角をなす各板状部材の側面において前記第１起立片とともに各板状部材を前記傾斜端面同士が互いに向かい合った状態に位置決めする第２起立片と、
を備えたことを特徴とする部材の位置決め具。
【請求項２】
請求項１に記載の部材の位置決め具において、
前記第１起立片は、前記各板状部材の傾斜端面にそれぞれ沿って向かい合う２つの起立片から形成されていることを特徴とする部材の位置決め具。
【請求項３】
請求項１または請求項２に記載の部材の位置決め具において、
前記各板状部材は、前記鋭角が互いに等しく、前記２つの板状部材の傾斜端面間を軸として、線対称の形状であることを特徴とする部材の位置決め具。
【請求項４】
請求項１から請求項３のいずれかに記載の部材の位置決め具において、
前記基板部は、ビスが挿入される孔を有することを特徴とする部材の位置決め具。
【請求項５】
請求項１から請求項４のいずれかに記載の部材の位置決め具において、
前記各第２起立片は、前記基板部の外周端部にて曲げられて形成されていることを特徴とする部材の位置決め具。
【請求項６】
請求項１から請求項５のいずれかに記載の部材の位置決め具において、
前記第１起立片は、前記基板部から切り起こされて形成されていることを特徴とする部材の位置決め具。
【発明の詳細な説明】
【技術分野】
【０００１】
本発明は、少なくとも一端側が長手方向に対して斜めにカットされた傾斜端面を有する２つの板状部材を、前記傾斜端面同士が互いに向かい合った状態で取付部材に固定する部材の位置決め具に関する。
【背景技術】
【０００２】
従来、建物内外の外観を向上させる化粧材として、モールディング（モール）等の細長い板状部材が使用されている。この板状部材は、縦横等に延びて建物の外壁や室内などの外観意匠を構成しており、例えば、サッシや戸口等、矩形の開口の周囲などに施工されている。
【０００３】
このような板状部材を施工する際、壁等にビスや釘によってこの板状部材を直接取り付けようとすると、板状部材のかさばりや重量から、板状部材がずれやすく、取り付け精度を出すことが困難である。
そこで、近年では、取り付け専用の金具と、この金具に対応して溝等が形成された板状部材とが用いられている。
例えば、特許文献１では、基板部と、この基板部から立ち上がる一対の断面く字状の係止片とを備えた取付用金具が提案されている。この金具は板状部材の長手方向に沿って複数箇所に設けられ、各金具の係止片が板状部材の裏面側に形成された溝にそれぞれ係合することにより、板状部材を保持するものである。
この金具を使って板状部材を壁等に取り付ける際は、予め、金具を壁等に取り付けておき、この金具に対して板状部材を押し当てる。すると、板状部材の溝は、係止片のく字形状にしたがって案内され、く字の頂点を乗り越えて係止片と係合する。これにより、当該板状部材を容易に位置決めでき、当該板状部材を壁面などに確実に固定できる。
【０００４】
【特許文献１】特開２００３−２９３５７３号公報（［０００８］［００１０］［００１２］、図１）
【発明の開示】
【発明が解決しようとする課題】
【０００５】
しかしながら、裏面に溝等が形成されていないフラットな板状部材については、従来どおりビスで留めたり、釘を打ち付けたりして固定しているため、施工時に依然として板状部材がずれやすく、特に、複数の板状部材を枠状に設ける場合などに位置決めが難しいという問題がある。
具体的には、サッシ等を四方から取り囲むように４つの板状部材を枠状に配置するような場合、通常、各板状部材の端部を長手方向に対して斜めにカットし、この斜めの端面同士を向かい合わせるようにして各板状部材を配置するが、斜めの端面同士が向かい合った状態となる２つの板状部材のうち、特に上側の板状部材が下方にずれやすく、位置決めしづらいので、枠のコーナー部での直角精度がくるいやすくなってしまう。また、板状部材の斜めにカットされた端面間に目地材を充填する場合は、板状部材が互いにずれて間にスペーサーを挟みにくく、目地充填作業が繁雑となる。
なお、上記のような金具およびこの金具に対応する板状部材を使用して、板状部材を枠状に配置する場合も、板状部材は主として係止片が立ち上がる方向に沿って保持されていることから、板状部材が長手方向にずれて、フラットな板状部材の場合と同様に位置決めしづらい場合があった。
【０００６】
本発明の目的は、上記問題に鑑みて、２つの板状部材を長手方向に対して斜めにカットされた端面同士が互いに向かい合った状態で固定する際、容易かつ確実に位置決め固定できる部材の位置決め具を提供することにある。
【課題を解決するための手段】
【０００７】
本発明の部材の位置決め具は、少なくとも一端側が長手方向に対して斜めにカットされた傾斜端面を有する２つの板状部材を、前記傾斜端面同士が互いに向かい合った状態で取付部材に固定する部材の位置決め具であって、前記板状部材および前記取付部材の間に挿入される基板部と、この基板部から立ち上がり形成され前記２つの板状部材の傾斜端面間に挿入される第１起立片と、前記基板部から立ち上がり形成され前記各板状部材の傾斜端面と鋭角をなす各板状部材の側面において前記第１起立片とともに各板状部材を前記傾斜端面同士が互いに向かい合った状態に位置決めする第２起立片と、を備えたことを特徴とする。
【０００８】
この発明によれば、第１起立片を軸として、２つの第２起立片が２つの板状部材の傾斜端面にそれぞれ応じた鋭角をなしていることにより、第１起立片と第２起立片とが拡開する側からその鋭角側に向かって各板状部材を差し入れると、２つの板状部材は第１起立片の両側でそれぞれ位置決めされ、傾斜端面同士が向かい合った状態で取付部材に固定される。
この際、板状部材は第１起立片と第２起立片との間に案内され、端部が第１起立片と第２起立片との双方に当接し、それより先の移動が規制された状態で第１起立片と第２起立片との間に挟持されるので、板状部材が取付部材に対してずれることなく、容易かつ確実に位置決め固定できる。こうして、２つの板状部材が向かい合い、取付精度が良い状態で１つのコーナー部が形成されるため、外観意匠性にも優れる。また、位置決めの際にずれにくいので、裏面に溝等が形成されていないフラットな板状部材も好適に使用でき、低コスト化につなげることもできる。
また、第１起立片と第２起立片とがなす角度に応じて斜めにカットされた板状部材であれば、幅寸法等に関わらず各種の板状部材を本発明の位置決め具とともに使用できるので、汎用性に優れる。
【０００９】
ここで、本発明の位置決め具は、壁や天井、床など、取り付けられる向きは問わないが、例えば、壁に取り付ける際は、まず、水平方向に配置する板状部材を取付部材に適当な手段で取り付け、次いで、位置決め具をこの板状部材の鋭角側から板状部材と壁との間に挿入した後、鉛直方向に配置する板状部材の位置決めを行うのが取付精度の点で好ましく、また作業効率的にも良好となる。
【００１０】
本発明では、前記第１起立片は、前記各板状部材の傾斜端面にそれぞれ沿って向かい合う２つの起立片から形成されていることが好ましい。
この発明によれば、２つの板状部材が第１起立片を構成する２つの起立片の外側に保持されるので、２つの起立片の間に目地材等を充填するための所定の隙間が確保され、充填作業が容易となる。
また、２つの起立片の間隔を調整することにより、目地幅を任意に変更できる。
【００１１】
本発明では、前記各板状部材は、前記鋭角が互いに等しく、前記２つの板状部材の傾斜端面間を軸として、線対称の形状であることが好ましい。
ここで、板状部材の鋭角の角度としては、例えば、約４５°を採用できる。この場合を例にとると、２つの板状部材によって形成されるコーナー部の角度はほぼ直角となるから、位置決め具としては、２つの第２起立片がこの直角に応じて形成され、第１起立片がその中央に形成されていればよく、例えば、第１起立片を軸とする略直角二等辺三角形状とすることができる。
この発明によれば、２つの板状部材の傾斜端面が向かい合う、合わせ目の向きを問わずにこの位置決め具を使用できることになり、板状部材の位置決め作業が効率的となる。
【００１２】
本発明では、前記基板部は、ビスが挿入される孔を有することが好ましい。
この発明によれば、基板部が取付部材にビス留めされ、これによって板状部材の端部が支持されることにより、位置決めされた位置に板状部材をより確実に固定でき、他の固定手段を不要とすることもできる。
なお、取付強度等の点で、基板部に複数の孔を形成することも考えられる。また、長軸を有する長孔を形成すれば、板状部材の形状誤差や取付部材の不陸（凹凸）等に応じて、位置決め具の固定位置を調整可能であり、板状部材や位置決め具の取り付けに関して、誤差を許容できる。
【００１３】
本発明では、前記第１起立片は、前記基板部から切り起こされて形成されていることが好ましい。
また、本発明では、前記各第２起立片は、前記基板部の外周端部にて曲げられて形成されていることが好ましい。
これらの発明によれば、板金材料によるプレス切り起こし加工やプレス曲げ加工などによって、第１起立片や第２起立片が基板部と一体に形成されるので、接合や型製作などが不要となり、位置決め具を容易に製造できるとともに、低コスト化できる。
【発明を実施するための最良の形態】
【００１４】
〔第１実施形態〕
以下、本発明の実施の第一実施形態を図面に基づいて説明する。
図１には、本実施形態の部材の位置決め具１０を４つ使用したモール施工例が示されている。
本実施形態は、矩形のサッシＳＨの周りに板状部材としてのモール２０，３０を配置して、サッシＳＨ周辺の外観を向上したものである。
モール２０，３０は、珪酸化カルシウム等の水硬化性材料による押し出し成形等によって、細長く、フラットに形成された化粧材であり、サッシＳＨの周りに、２つのモール２０が水平方向に配置されるとともに、２つのモール３０が鉛直方向に配置されて、矩形の枠ＦＬが構成されている。
【００１５】
この枠ＦＬの四隅では、１つのモール２０と１つのモール３０とが隣り合い、枠ＦＬの各コーナー部ＦＣをそれぞれ形成しており、図２には、このうち１つのコーナー部ＦＣが示されている。
ここで、モール２０は、図３にその形態が示されているように、平面的に見たとき、長手方向両端が互いに反対方向の傾きとなる斜め４５°にカットされて一対の傾斜端面２１となっており、この斜めにカットされた両端部はそれぞれ鋭角部２２を構成している。
また、モール２０の両側面には、長手方向に沿って延びる溝２８がそれぞれ形成されており、この溝２８よりも裏面側は、段落ち形成されている（段落ち部２９）。
【００１６】
一方、モール３０についても、図３に示されたモール２０と同様に、傾斜端面３１、鋭角部３２、並びに、溝３８、段落ち部３９がそれぞれ形成されており（図２および図５）、図２に示すように、モール２０およびモール３０は、互いの傾斜端面２１、３１同士が向かい合った状態で隣り合うように配置されている。すなわち、コーナー部ＦＣの角度はほぼ直角である。
このように、モール２０，３０が隣り合うように配置されて各コーナー部ＦＣが形成されており、これらの各コーナー部ＦＣでモール２０，３０が隣り合う様子は、モール２０とモール３０とが向かい合う、合わせ目の向きを除いて互いに同様となっている。
【００１７】
図４には、位置決め具１０が示されており、この位置決め具１０は、各コーナー部ＦＣにそれぞれ配置され、モール２０，３０を位置決め・固定するのに使用されている。
図５は、図２のV−V線断面図であり、位置決め具１０によってモール２０，３０が壁４０に固定されている状態を示す図である。
位置決め具１０は、図４に示すように、コーナー部ＦＣの略直角に応じた略直角二等辺三角形の基板部１３と、一対の内側起立片１１１，１１２（第１起立片）と、一対の外側起立片１２１，１２２（第２起立片）とを備えており、基板部１３の直角部分を約４５°に二分する軸線を対称軸Ａとすると、この対称軸Ａについて線対称となるように、１枚の板金打ち抜き・折り曲げプレス加工により形成されている。
なお、外観意匠性の観点から、位置決め具１０はモール２０，３０とほぼ同色にするのが好適な場合がある。あるいは、施工後、補修塗料を塗布し、目立たなくする。
【００１８】
基板部１３は、モール２０，３０と壁４０との間に挿入される板状体であり、略直角をなす端部が斜辺と平行に切り欠きされている（切り欠き１３１）。
また、この基板部１３には、対称軸Ａの両側に２つの孔１３２がそれぞれ形成されている。この孔１３２の周縁は、裏面から表面に突出したリング状リブ１３２Ａが形成されることで補強されており、孔１３２にビスＢ（図５）が挿入され、壁４０にねじ込まれることによって、位置決め具１０が壁４０（図５）に固定されている。ビスＢの頭部は、各孔１３２のリング状リブ１３２Ａに収まるものとなっている（図５）。
これらの孔１３２の周りには、対称軸Ａと略平行に延びるリブ１３３が、基板部１３の直角側と鋭角側とで斜向かいとなる位置に２つずつ形成されており、これらのリブ１３３は、位置決め具１０の補強部材となっている。
【００１９】
外側起立片１２１，１２２は、基板部１３において略直角をなす二辺にておもて側にそれぞれ立ち上がるように、基板部１３と一体に形成されている。この外側起立片１２１，１２２の立ち上がり寸法は、モール２０（またはモール３０）の厚さ方向における段落ち部２９（図３、図５）の寸法に応じたものとなっている。
また、外側起立片１２１，１２２の先端部は、モール２０，３０側面の溝２８，３８に応じて内側にわずかに折り曲げられている。
【００２０】
内側起立片１１１，１１２は、基板部１３の略中央で対称軸Ａに沿って互いに向かい合うように、基板部１３からおもて側に立ち上がり、プレス曲げ加工によって基板部１３と一体に形成されている。この内側起立片１１１，１１２の立ち上がり寸法は、外側起立片１２１，１２２と同様である。
【００２１】
ここで、基板部１３が対称軸Ａの一方の側から他方の側に向かって切り起こされて内側起立片１１１が形成され、対称軸Ａの他方の側から一方の側に向かって切り起こされて内側起立片１１２が形成されるというように、内側起立片１１１，１１２は、基板部１３の中央部分が切り分けられて形成されている。
一方、内側起立片１１１と外側起立片１２１とがなす角度、および、内側起立片１１２と外側起立片１２２とがなす角度θ（図２）は、それぞれ、モール２０，３０の斜めにカットされた端部に応じた約４５°となっており、ここにテーパ形状が形成されている。
【００２２】
このような位置決め具１０について、内側起立片１１１と外側起立片１２１との間にモール２０を差し入れ、内側起立片１１２と外側起立片１２２との間にモール３０を差し入れると、図５に示すような状態となる。
なお、壁４０は、図５に示すように、柱状の木下地４１、胴縁４２、および、表層側のサイディング４３によって構成されている。
【００２３】
図６には、位置決め具１０によるモール２０，３０の施工手順が示されている。
以下、図６および図５を参照しながら、この施工手順について説明する。
まず、サッシＳＨ（図１）の下辺に沿って、モール２０を釘打ち、ビス留め、金具留め、リベット留め、接着等の手段によって適宜取り付ける。
【００２４】
次に、モール２０側面の溝２８に外側起立片１２１の先端を沿わせ（図５）、図６（Ａ）に示すように、位置決め具１０の基板部１３を、鋭角部２２側からモール２０の長手方向に沿ってモール２０と壁４０との間に挿入する。すると、モール２０の鋭角部２２が内側起立片１１１と外側起立片１２１との間に収まる一方、外側起立片１２１がモール２０側面の段落ち部２９に収まった状態となる（図５）。
この状態で、露出している一方の孔１３２にビスＢを挿入し、このビスＢを壁４０にねじ込み、位置決め具１０を壁４０に対して確実に固定する。
【００２５】
続いて、図６（Ｂ）に示すように、モール３０を上方から壁４０に沿って、サッシＳＨ（図１）の左辺と平行となるように、位置決め具１０の内側起立片１１２と外側起立片１２２との間に差し入れる。すると、モール３０は内側起立片１１２と外側起立片１２２との間で案内され、壁４０に対してモール３０の位置決めが行われる。
具体的には、テーパ状に配置された内側起立片１１２および外側起立片１２２の双方に鋭角部３２が当接するとともに、鋭角部３２の先端が基板部１３の切り欠き１３１から突き出て、モール３０はそれより下方に移動できない状態、すなわち位置決めされた状態となる。
この位置決めの際、モール３０が内側起立片１１２と外側起立片１２２との間で案内されるので、木下地４１の不陸やサイディング４３の柄などの表面形状に関わらず、モール３０がずれることなく、安定的に位置決めできる。
【００２６】
このようにモール３０が位置決めされることにより、図６（Ｃ）に示すように、互いの傾斜端面２１，３１が向かい合った状態で、モール２０およびモール３０は位置決め具１０を介して壁４０に固定される。なお、図５に示すように、段落ち部２９，３９にそれぞれ収まった外側起立片１２１，１２２の先端部によってモール２０，３０がそれぞれ支持されていて、モール２０，３０の高さ（厚さ方向の寸法）および傾斜端面２１，３１の面が互いに揃っている。
この状態で、取り付け強度等の必要に応じ、モール３０を釘打ちやビス留め、金具留め、リベット留め、接着等、適当な手段で壁４０に取り付けるのが好ましい。
なお、ここで示した手順とは反対に、先にモール３０を壁４０に取り付け、モール２０を位置決め具１０によって位置決め固定しても同様の手順となるため、この場合の手順説明を省略する。
ただし、上述の手順のように、水平方向に配置されるモール２０を先に取り付けて作業を行うほうが、取付精度の点で好ましく、また作業効率的にも良好となる。
一方、先に位置決め具１０を壁４０に固定し、その後にモール２０，３０を位置決め固定してもよく、この場合は、ビスＢを２つ使用し、位置決め具１０を壁４０に対して一層強固に固定できる。
【００２７】
このように、モール２０の一端部とモール３０の一端部とが隣り合ってコーナー部ＦＣが形成されるが（図６（Ｃ））、順次、他のモール２０、およびモール３０についても、上記と同様の手順で施工することにより、枠ＦＬ全体が完成する。各コーナー部ＦＣにおいて、傾斜端面２１，３１の合わせ目の向きは互いに異なるが、使用する位置決め具１０、モール２０，３０、および施工手順等は同じである。
最後に、モール２０およびモール３０の傾斜端面２１，３１間に目地材として防水用のシーリング材を充填し、位置決め具１０によるモール２０，３０の施工を完了する。
なお、外側係止片１２１はモール２０両側面の段落ち部２９に収まり、おもてから見えないので、最終的に、位置決め具１０はモール２０，３０の施工外観に影響しない。
【００２８】
このような第一実施形態によれば、次のような効果がある。
（１）すなわち、内側起立片１１１，１１２および外側起立片１２１，１２２によるテーパ形状の鋭角側に向かってモール３０を差し入れると、モール３０は内側起立片１１２と外側起立片１２２との間で案内され、鋭角部３２が内側起立片１１２と外側起立片１２２との間に収められるので、モール３０が壁４０に対してずれることなく、容易かつ確実に位置決め固定できる。また、コーナー部ＦＣの直角精度などの取付精度を出すことができ、外観意匠性にも優れる。
【００２９】
（２）また、位置決めの際のずれにくさから、モール２０，３０のような裏面に溝等が形成されていないフラットな板状部材も好適に使用でき、低コスト化につなげることができる。
【００３０】
（３）モール２０，３０の鋭角部２２，３２の角度、内側起立片１１１と外側起立片１２１がなす角度、および、内側起立片１１２と外側起立片１２２がなす角度θ（図２）が互いに等しく（約４５°）、位置決め具１０は対称軸Ａに対して線対称である略直角三角形状であることから、傾斜端面２１，３１が互いに向かい合う、合わせ目の向きを問わずに位置決め具１０を使用できることになり、モール２０，３０の位置決め作業を効率良く行うことができる。
【００３１】
（４）また、内側起立片１１１，１１２間の対称軸Ａを軸として、２つの外側起立片１２１，１２２がモール２０，３０の傾斜端面２１，３１にそれぞれ応じた鋭角角度約４５°のテーパ形状となり、内側起立片１１１，１１２の両外側にモール２０、３０をそれぞれ収めることができるので、このテーパ角度約４５°に応じて斜めにカットされていれば、幅寸法等に関係なく、各種モール等の板状部材を位置決め具１０とともに使用できる。すなわち、汎用性に優れる。
【００３２】
（５）孔１３２が形成され、この孔１３２を介したビス留めや釘打ち等によってモール２０，３０の両端を支持できるので、位置決めされた位置にモール２０，３０をより確実に固定できる。これにより、例えば、モール２０，３０の長手方向に沿って複数配置される取付金具等、他の固定手段を不要にすることもできる。
【００３３】
（６）内側起立片１１１，１１２は、基板部１３のプレス切り起こし加工による切り起こし片であるため、位置決め具１０を低コストかつ容易に製造できる。
また、外側起立片１２１，１２２は、基板部１３のプレス曲げ加工によって形成されているので、この点でも位置決め具１０を低コストかつ容易に製造できる。
【００３４】
（７）段落ち部２９，３９に外側起立片１２１，１２２が収まることにより、位置決め具１０は、モール２０，３０を長手方向に位置決めするだけでなく、モール２０，３０の厚さ方向でも位置決めできる。つまり、モール２０，３０の浮き上がり等を防ぎ、壁４０からモール２０，３０までの距離を一定として、傾斜端面２１，３１の互いの面をより確実に揃えることができるので、外観意匠性がより一層向上する。
【００３５】
（８）モール２０，３０の傾斜端面２１，３１にそれぞれ沿って向かい合う内側起立片１１１，１１２が形成されており、モール２０，３０が内側起立片１１１，１１２の外側に保持されることとなるから、内側起立片１１１，１１２の間にシーリング材等を充填するための所定寸法の隙間が確保され、充填作業が容易となる。また、内側起立片１１１，１１２の間隔を調整することにより、目地幅を任意に変更できる。
【００３６】
〔第２実施形態〕
次に、本発明の第２実施形態について説明する。
本実施形態の位置決め具は、内側起立片の形態が第１実施形態と相違し、いわゆる突き付け加工が可能な仕様となっている。
なお、以下の説明では、既に説明した実施形態と同様の構成については、同一符号を付して、説明を省略もしくは簡略化する。
【００３７】
図７には、本実施形態における部材の位置決め具５０が示されている。
第１実施形態の位置決め具１０は、２つの内側起立片１１１，１１２が対称軸Ａを挟んで向かい合うように形成されていたのに対し（図４）、本実施形態の位置決め具５０では、図７に示すように、内側起立片５１１，５１２が対称軸Ａと同軸に揃うように形成されている。
具体的に、内側起立片５１１，５１２は第１実施形態の内側起立片１１１，１１２と略同様の切り起こし片であるが、対称軸Ａの位置で基板部１３から切り起こされ、対称軸Ａ上で並ぶように形成されており、これら内側起立片５１１，５１２は２つで１つの起立片のような形態となっている。
この内側起立片５１１，５１２を除いて、位置決め具５０の構成は前述した位置決め具１０と同様である。
【００３８】
図８は、本実施形態の位置決め具５０をコーナー部ＦＣに使用したモール施工例を示す図である。
本実施形態では、内側起立片５１１，５１２が同軸であり、モール２０は内側起立片５１１・５１２と外側起立片１２１との間に固定され、モール３０は内側起立片５１１・５１２と外側起立片１２２との間に固定されることから、モール２０，３０の傾斜端面２１，３１間には隙間が開かず、モール２０，３０は傾斜端面２１，３１にて互いにほとんど当接した状態となる（突き付け加工）。
【００３９】
このように、モール２０，３０の傾斜端面２１，３１間には隙間が開いていないので前述したシーリング材充填作業は行われないが、この点を除いて、モール２０，３０の施工手順は前述したものとほぼ同様である。つまり、位置決め具５０によってモール２０，３０を位置決めないし固定する際にもずれにくく、取り付け精度を出すことができる。
【００４０】
このような第２実施形態によれば、第１実施形態の（１）〜（７）で述べた効果に加えて、次のような効果がある。
（９）２つの内側起立片５１１，５１２が同軸とされ、２つで１つの起立片の形態とされているので、モール２０、３０の突き付け加工が可能となる。ここで、位置決め具５０は、第１実施形態の位置決め具１０と同様、傾斜端面２１，３１の面を確実に揃えることができるから、取り付け誤差が目立ちやすい突き付け加工には特に有効な手段となる。
【００４１】
〔第３実施形態〕
次に、本発明の第３実施形態について説明する。
前記各実施形態の位置決め具１０，５０は、対称軸Ａの両側に２つの孔１３２を有していたが、本実施形態の位置決め具８０は、対称軸Ａ上に孔を有する点が前記各実施形態とは相違する。
より具体的には、前記実施形態では、内側起立片１１１（または５１１）と外側起立片１２１との間、および、内側起立片１１２（または５１２）と外側起立片１２２との間に孔１３２が形成されていた（図４および図７）。
これに対して、本実施形態では、一対の内側起立片の内側に、孔が形成されている点が相違する。
【００４２】
図９には、本実施形態における部材の位置決め具８０が示されている。
位置決め具８０の基板部８３には、対称軸Ａ上に１つの孔８３２が形成されている。この孔８３２は、前記各実施形態の孔１３２と同様、周縁のリング状リブ８３２Ａによって補強されており、ビスＢ（図５）が挿入されるようになっている。
【００４３】
内側起立片８１１、８１２は、この孔８３２の径に応じた間隔で、基板部８３から立ち上がり形成されている。詳しくは、基板部８３が対称軸Ａ上に沿ってせん断され、このせん断部分が孔８３２径の略１／２の長さずつ両側に切り起こされ、これらの切り起し片が内側起立片８１１、８１２となっている。これら内側起立片８１１、８１２の間隔は孔８３２の径と略等しく、孔８３２は、対称軸Ａ上、かつ内側起立片８１１、８１２の内側に配置されるようになっている。
【００４４】
図１０には、本実施形態の位置決め具８０をコーナー部ＦＣに使用したモール施工例が示されている。
本実施形態では、一対の内側起立片８１１，８１２の内側に孔８３２が形成されていることにより、モール２０およびモール３０の双方を位置決め具８０を介して壁４０に取り付けた状態でも、孔８３２がこれらのモール２０，３０に隠れずに、傾斜端面２１、３１の間に露出する。
したがって、前記各実施形態とは異なり、モール２０、３０の双方を壁４０に取り付けた後でも、位置決め具８０をモール２０，３０と壁４０との間に挿入し、孔８３２へのビスＢの挿通により、これらのモール２０，３０を位置決めされた状態に固定できる。
また、これと同様の手順により、壁４０に仮止めされた状態のモール２０，３０を位置決め具８０によってあらためて位置決めし、より正確な位置に固定するという使い方もできる。
一方、前記実施形態における手順と同様に、モール２０を壁４０に取り付けた後、モール２０と壁４０との間に位置決め具８０を挿入し、位置決め具８０をビスＢで固定後、モール３０の位置決め・固定を行ってもよく、また、位置決め具８０をまず壁４０に取り付け、その後にモール２０，３０双方を位置決め固定しても問題ない。
なお、傾斜端面２１，３１間には、必要に応じてシーリング材を充填する。
【００４５】
このような第３実施形態によれば、第１実施形態の（１）〜（７）で述べた効果に加えて、次のような効果がある。
（１０）一対の内側起立片８１１，８１２の内側に孔８３２が形成されていることにより、モール２０，３０の取り付け前後を問わず、ビスＢを用いて位置決め具８０を壁４０に固定可能となる。これにより、各種施工条件に応じて、モール２０，３０、および位置決め具８０に関して適切な施工手順を採用できることになり、作業性が向上するとともに、取り付け精度の向上も期待できる。
【００４６】
〔第４実施形態〕
次に、本発明の第４実施形態について説明する。
本実施形態の位置決め具は、軒裏の軒天井に使用されており、図１１には、その施工例が示されている。
ここでは、前記各実施形態におけるモール２０，３０の代わりに、平板状の軒天材６０，７０がそれぞれ使用されている。
【００４７】
軒天材６０，７０は、前述のモール２０，３０と略同様に、長手方向の両端が斜めにカットされた傾斜端面６１，７１を有し、表面は、模様として溝６２，７２が３本ずつ長手方向に沿って刻設された化粧面６３，７３となっている。
そして、軒天材６０，７０を互いの傾斜端面６１，７１が向かい合った状態で矩形枠状に配置すると、溝６２，７２は傾斜端面６１，７１で連続し、枠形の意匠を構成するようになっている。
これらの軒天材６０，７０についても、位置決め具５０を用いることにより、前述と同様に位置決め・固定することができる。つまり、軒天材６０の両端が内側起立片５１１と外側起立片１２１との間で（または内側起立片５１２と外側起立片１２２との間で）それぞれ案内されるとともに、軒天材７０の両端が内側起立片５１２と外側起立片１２２との間で（または内側起立片５１１と外側起立片１２１との間で）それぞれ案内されることによって、これらの軒天材６０，７０を容易かつ確実に位置決め・固定できる。
【００４８】
このような第４実施形態によれば、第１実施形態の（１）〜（７）および第２実施形態の（９）で述べた効果に加えて、次のような効果がある。
（１１）軒天材６０，７０のようにおもての化粧面６３，７３に模様が付されていた場合でも、傾斜端面６１，７１の面を互いに確実に揃え、合わせることができるから、模様のずれが生じない。したがって、軒天材６０，７０が隣り合う部分で外観上の違和感が生じないように施工できる。
【００４９】
本発明は、前述の各実施形態に限定されるものではなく、以下に示すような変形をも含むものである。
本発明の部材の位置決め具や板状部材の形状、寸法、材質等は前記各実施形態のものに限定されない。
例えば、図１２には、勾配がつけられたモールの施工例が示されている。
ここでは、表面側に長手方向と交差する方向に勾配を有する板状部材としてのモール９０，１００が枠状に配置されており、これらのモール９０，１００は、勾配が枠の内側に向かって次第に低くなるように配置されている。
このようなモール９０，１００を使用する場合、その勾配により、釘打ちやビス留めなどが難しいが、本発明の部材の位置決め具を用いることによって、容易かつ確実に位置決め・固定できる。
【００５０】
また、板状部材の外観、断面形状等についても、各種の形態を採用できる。
例えば、前記実施形態のモール２０，３０の表面に模様が付されていてもよく、この場合、位置決め具１０，５０，８０等の本発明の部材の位置決め具によって傾斜端面２１，３１の面を互いに確実に揃え、合わせることができるから、模様のずれが生じず、外観上の違和感もない。
また、例えば、前記実施形態において、モール２０，３０側面の溝２８や段落ち部２９等が形成されていないモールとすることもできる。一方、板状部材の裏面や側面などに溝等を形成し、この溝に係合する取付金具と本発明の部材の位置決め具とを併用することもできる。
【００５１】
さらに、前記実施形態のモール２０，３０等は、両端が斜め４５°にカットされていたが、板状部材が斜めにカットされる鋭角角度は任意である。２つの板状部材において、この斜めにカットされる角度が互いに違っていても良い。
また、複数の板状部材によって構成される枠は矩形状でなくても、三角や菱形、六角形、八角形等の多角形とすることができる。このような枠ではなく、２つの板状部材によって、１つのコーナー部だけを構成する際にも、もちろん本発明の部材の位置決め具を使用できる。
【００５２】
そして、前記各実施形態でモール２０，３０、軒天材６０，７０等がサッシＳＨの周りや軒天井に施工されていたように、本発明の部材の位置決め具は使用の向きを問わない。したがって、例えば、デッキ等の床面や、天井の照明の周り等、様々な場所に使用でき、さらには、家具等も施工対象とすることができる。
【００５３】
一方、部材の位置決め具の具体的形態についても各種の形態を採用できる。
例えば、部材の位置決め具は、位置決め・固定しようとする２つの板状部材の斜めにカットされた角度に応じた第１起立片および第２起立片を備えていればよい。したがって、２つの板状部材の斜めにカットされた角度が相違する場合は、これに応じて、第１起立片と一方の第２起立片とがなす角度と、第１起立片と他方の第２起立片とがなす角度とが相違する構成となる。
【００５４】
また、これら第１起立片および第２起立片が立ち上がり形成される基板部等の形状は前記実施形態に限らないが、前記実施形態での部材の位置決め具１０，５０，８０のように、全体形状が線対称であるほうが、上述したような効果を得ることができる。ただし、部材の位置決め具全体が線対称でなくても、板状部材の傾斜端面間を軸として第１起立片および第２起立片が線対称となるように形成すれば、全体形状を線対称にするのと略同様の効果が得られる。
【００５５】
さらに、第１起立片および第２起立片の具体的な形態は、前記各実施形態に限定されない。例えば、接合や金具留め、リベット留め等によって第１起立片および第２起立片を形成することも考えられる。また、基板部に孔や切り欠きが形成されていなくてもよい。
【００５６】
一方、前記実施形態において、対称軸Ａの両側に２つの孔１３２が形成されていたり、対称軸Ａ上に、１つの孔８３２が配置されたりしていたが、これらの孔の形状、数、位置等についても、もちろん前記各実施形態に限定されるものではない。
例えば、第３実施形態において、内側起立片８１１，８１２の内側に２つ以上の孔が並んで形成されていてもよい。また、内側起立片８１１，８１２の間隔は、少なくとも孔８３２に対してビスＢが挿通可能な寸法であればよく、内側起立片８１１，８１２の間隔が孔８３２の径よりも大きくても構わない。
【００５７】
本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【００５８】
本発明は、モール、軒天材などの板状部材を位置決めし、固定する用途に幅広く利用できる。
また、板状部材を精度良く取り付けることができるから、外観意匠性の要求にも応えることができる。
【図面の簡単な説明】
【００５９】
【図１】本発明の第１実施形態に係る部材の位置決め具によるモール施工を示す図。
【図２】図１の部分拡大図。
【図３】前記実施形態におけるモールを示す斜視図。
【図４】前記実施形態の位置決め具を示す斜視図。
【図５】図２のV−V線断面図。
【図６】前記実施形態の位置決め具によるモール施工の手順（Ａ）〜（Ｃ）を示す図。
【図７】本発明の第２実施形態に係る部材の位置決め具を示す斜視図。
【図８】前記実施形態の位置決め具によるモール施工を示す図。
【図９】本発明の第３実施形態に係る部材の位置決め具を示す斜視図。
【図１０】前記実施形態の位置決め具によるモール施工を示す図。
【図１１】本発明の第４実施形態に係る部材の位置決め具によるモール施工を示す図。
【図１２】本発明の変形例における部材の位置決め具によるモール施工を示す図。
【符号の説明】
【００６０】
１０，５０，８０・・・      位置決め具（部材の位置決め具）
１３，８３・・・            基板部
２０，３０，９０，１００・・モール（板状部材）
２１，３１，６１，７１・・・傾斜端面
４０・・・                  壁（取付部材）
６０，７０・・・            軒天材（板状部材）
１１１，１１２，５１１，５１２，８１１，８１２・・・内側起立片（第１起立片）
１２１，１２２・・・        外側起立片（第２起立片）
１３２，８３２・・・        孔
Ａ・・・                    対称軸（線対称の軸）
Ｂ・・・                    ビス
【図１】
2005320776.tif 000003
【図２】
2005320776.tif 000004
【図３】
2005320776.tif 000005
【図４】
2005320776.tif 000006
【図５】
2005320776.tif 000007
【図６】
2005320776.tif 000008
【図７】
2005320776.tif 000009
【図８】
2005320776.tif 000010
【図９】
2005320776.tif 000011
【図１０】
2005320776.tif 000012
【図１１】
2005320776.tif 000013
【図１２】
2005320776.tif 000014